(57)【要約】【課題】景観も損なうことが少なく、崩落雪を確実に防止できる吊り式の雪崩防止柵を簡単に施工性がよく得る施工法を提供する。【解決手段】雪崩防止柵を得るにあたり、切土された水平状をなす小段部に左右方向で間隔をおいてアンカーを埋設する工程と、小段部の前方に、ほぼ水平状に延出し下部が支体次傾斜部に支持された梁材を左右方向で間隔をおいて配す工程と、前記各梁材を前記アンカーからの条体で吊り支持し、前記左右梁間に雪留め材を装架する工程をとる。【選択図】図３
2006083702.tif 000002
【特許請求の範囲】
【請求項１】
雪崩防止柵を得るにあたり、切土された水平状をなす小段部に左右方向で間隔をおいてアンカーを埋設する工程と、小段部の前方に、ほぼ水平状に延出し下部が支体次傾斜部に支持された梁材を左右方向で間隔をおいて配す工程と、前記各梁材を前記アンカーからの条体で吊り支持し、前記左右梁間に雪留め材を装架する工程をとることを特徴とする雪崩防止柵の施工法。
【請求項２】
雪留め材として複数の部材を相互間に隙間を有せしめて装架することで構成したものを用いる請求項１に記載の雪崩防止柵の施工法。
【請求項３】
雪留め材として複数の部材を相互間に隙間を有せしめて装架し、かつ金網を付設したものを用いる請求項１に記載の雪崩防止柵の施工法。
【請求項４】
部材として条材またはロープから構成され、端部が左右の梁材に取付けられているものを用いる請求項２または３に記載の雪崩防止柵の施工法。
【発明の詳細な説明】
【技術分野】
【０００１】
本発明は積雪地域の切土法面での雪崩防止柵の施工法に関する。
【背景技術】
【０００２】
積雪の多い地域の雪崩防止対策として、法面に所要傾斜角度の切土部と水平状の小段部を高さ方向で一定間隔ごとに設け、切土部である程度斜面上に堆雪させ２次堆雪幅を縮小させることが行なわれているが、切土法面では積雪が小段部からせり出して崩落したりする恐れがある。
そこで、この対策として、法面の途中の部位から法面と直角状あるいは所用角度に雪崩防止柵を突設することが行われている。
【０００３】
この雪崩防止柵の施工法は、法面にアンカーを設け、これに控柱を左右方向で間隔をおいて立設し、控柱の天端に斜め外方に突出するように柱を固定し、各柱間上にブランクシートないしデッキプレートと呼ばれる台形状断面の板を装架固定するようになっている。
しかし、この構造では棚の前面(斜面上方向)に雪を溜め込むので、設計積雪深よりも大きな値となり、クリープの変形と構造上の問題から、雪が柵を大幅にオーバーフローしやすいので、柵高さを非常に大きくしなければならない。
さらに、法面から斜め上方に張出し設置されるので、道路側からはっきりと視認され、オフシーズンには圧迫感を招いたり、景観を損なう不具合があった。
【０００４】
また、アンカーを法面に構築しなければならず、その基礎の施工間隔許容誤差が１ｃｍ以下と少ないことや、設置端部に風の巻き込みが生ずるため雪庇予防用のサイドフェンスの設置がさらに必要になることなどから施工性が芳しくなく、工期が長くなり、工事費が高くなる問題があった。
【発明の開示】
【発明が解決しようとする課題】
【０００５】
本発明は前記のような問題点を解消するためになされたもので、その目的とするところは、景観も損なうことが少なく、崩落雪を確実に防止できる吊り式の雪崩防止柵を施工性がよく簡単に得ることができる雪崩防止柵の施工法を提供することにある。
【課題を解決するための手段】
【０００６】
上記目的を達成するため本発明は、雪崩防止柵を得るにあたり、切土された水平状をなす小段部に左右方向で間隔をおいてアンカーを埋設する工程と、小段部の前方に、ほぼ水平状に延出し下部が支体次傾斜部に支持された梁材を左右方向で間隔をおいて配す工程と、前記各梁材を前記アンカーからの条体で吊り支持し、前記左右梁間に雪留め材を装架する工程をとることことを特徴としている。
【発明の効果】
【０００７】
本発明は、一定間隔で切土された小段の前方向幅を広げいわば人工ステップを設けて積雪時の崩落雪を防止させるので、積雪のせり出しと崩落を防止できる。このため、従来の法面途中から張り出す防雪柵の設置を不要ならしめ、あるいは設置数を減少することが可能になる。
また、雪崩防止柵が小段のラインとほぼ重なることにより景観を損なわない。さらに、アンカーを水平状の小段部に構築すればよいこと、梁材が小段部のラインで水平に延びるので雪留め材の装架作業も容易であることなどにより施工性がよく、工期も短くすることができるなどのすぐれた効果が得られる。
【発明を実施するための最良の形態】
【０００８】
雪留め材は複数の部材を相互間に隙間を有して装架されている。これによれば、柵自体が軽量となるとともに、風が抜け、風荷重が小さくなるので、沈降圧を低くすることができ、条体で安定的に支持できる。
また、シーズン当初の降雪は間隔をおいた部材の間からすり抜けて地山に堆雪され、その後は部材上に堆雪されるので、オーバーフローが生じにくく、上下の法面の雪を結びつけ一体化させることができるので、崩落を確実に防止できる。
【０００９】
好適には、雪留め材は複数の部材を相互間に隙間を有して装架されるだけでなく、金網が付設されている。これによれば、パウダースノーも捕捉して堆雪させることができる。
部材は、代表的には条材またはロープであり、端部が梁材に取付けられる。これによれば、アンカー間隔に応じた長さに工場で製作しておき、現場で簡単に設置することができるので、施工が容易である。
【実施例１】
【００１０】
以下添付図面を参照して本発明の実施例を説明する。
図１と図２は本発明によリ得られた雪崩防止柵の第１実施例の全体を示すもので、１は法面全体であり、所要間隔ごとに切土されて水平状の小段部(ステップ)１ａが形成されており、小段部１ａ、１ａ間には分断された法面１ｂが形成されている。
【００１１】
２は本発明による雪崩防止柵であり、前記各小段部領域に付設されている。雪崩防止柵２は、図２(ａ)のように連続配置され、あるいは図２(ｂ)のように１〜２ｍ程度の間隔をあけて断続配置される。
雪崩防止柵２は、小段部１ａの幅方向後端ないしその近傍にアンカー３を埋設し、梁材４を小段部１ａの幅方向前端付近に後端が位置し、それ以降が小段部１ａのレベルとほぼ一致するように前方に延在せせており、梁材４は後端部と先端部が次位の法面１ｂに支柱体５、５’で支持され、かつ、後端部がアンカー３に連結されこれから延在されているワイヤロープ７で吊持されている。「レベルとほぼ一致」とは、水平状である場合と、適度な傾斜角度を有している場合を含む。
前記アンカー３と梁材４は、左右方向で所定間隔たとえば２ｍごとに設けられており、各梁材４、４の上には雪留め材６が装架されている。
【００１２】
前記雪崩防止柵２得る工程を詳しく説明すると、アンカー３は、コンクリートアンカー、ケミカルアンカーなどでもよいが、この例ではパイプなどで構成された土砂中用アンカーが用いられており、図３のように小段部１ａの後端ないしその近傍近傍に鉛直状に打ち込まれる。
【００１３】
梁材４はH形鋼、溝形鋼などの鋼材あるいは木材で構成される。支柱体５、５’は、それぞれＨ形鋼や溝形鋼などの鋼材あるいは木材で構成された支柱５ａと、これの下端に角度固定あるいは角度可変に連結され法面１ｂに接地するそり状の広いプレート５ｂからなっている。支柱５ａは梁材の下面に溶接されるか、あるいは天端にベースを設け、これを梁材４の下面にボルト締めするなどして強固に固定される。
【００１４】
ワイヤロープ７は後端にリング状の定着用部７０がクリップなどで作られており、該定着用部７０はアンカー３の天端部に嵌められ、交差状のピン３１によってアンカーに連結されている。前記ワイヤロープ７は、小段部１ａの表面に沿って配され、小段部前端から法面１ｂに沿うように下傾され、先端がステー材５の支柱５ａに設けたブラケット５０に連結されている。
各梁材４，４の少なくとも前方側の支柱体５’、５’における左右の支柱５ａ、５ａは、図５のように対角状に交差させたステー部材５１，５１で結合されることで剛な矩形状骨格構造が作られ、ゆがみ変形が防止されている。
【００１５】
左右の梁材４、４に装架される雪留め材６は、この例では、複数の部材６ａを相互間に隙間Ｓを有せしめるように装架して構成されている。かかる部材６ａとしては、条材、たとえば帯鋼板、棒鋼、形鋼、鋼管などの鋼材あるいは間伐材などの木材が挙げられる。
この例では鋼管が用いられ、図６のように梁材４のスパンに対応する間隔をおいて下面にボルト孔付きの座板６０を定着しており、図７（ａ）のように、座板６０を梁材４に載せ、ボルト６１を梁材４に貫通させてナットを螺合することにより固定されている。
これに代えて、図7（ｂ）のように、梁材４にボルト６１の下部を固定しておき、座板６０の通孔をボルト９に合わせ、ナットで締め付けてもよい。
【００１６】
雪留め材６は、この例ではさらにパウダースノー対策のために第２の部材６ａ’として金網を併用しており、これを前記部材６ａ、６ａの上に載せ、Ｕボルトと帯板およびボルトなどの止め部材６２で一定間隔ごとに部材６に止めている。
【００１７】
図８ないし図１０は、雪留め材６の部材６ａとして、端部にリング状の端末６３を設けたスチール製などの耐食性のよいロープを用いている。
かかるロープを簡単に所定間隔をおいて取り付け、装架させるために、各梁材４には、図１０のように、止め部として、梁材上面にたとえば３０ｃｍ以下の所定の間隔で中空状あるいは中実なボス４１を配設固定しており、前記ロープは左右の梁材４，４の前記ボス４１、４１間に渡され、端末６３、６３を嵌め合わせ引っ掛けることで係留装架される。
そして、各ボス４１、４１には、中間より上に梁材４の長手方向と平行に横孔４１０が設けられており、それら横穴４１に棒材６ｂを貫挿することでロープの外れ止めを図っている。
【００１８】
なお、この例では、左右の梁材４、４の先端部上面間に帯鋼板、棒鋼あるいは形鋼などから選ばれるスパン材８が掛け渡され、ボルトナットで梁材４、４のフランジに固定されている。
さらに、左右の梁材４、４の先端内側と後端内側の４点間は交差状のブレスロッド９、９が張り渡され、これらにより、剛な矩形状構造が作られている。
【００１９】
なお、本発明は上記実施例に限定されるものではなく、法面の地質、積雪深さ、勾配などにより種々の態様を採用し得るもので、たとえば、雪留め材６は、部材６ａを平行状に配する場合に限らず、格子状に配してもよい。また、雪留め材６は、図１１のようにデッキプレートなどによる面板型としてもよい。
【００２０】
本発明のたとえば前後幅１ｍの小段部１ａに１．３ｍ程度の雪崩防止柵を施工する手順を例示すると、アンカー３を小段部１ａの後方の所定位置に一定間隔で設置する。この作業は足場が安定した広い水平部で行えるので容易である。
一方、梁材４には、予め工場であるいは現場で支柱体５，５’を固定してアッセンブリとし、あるいはさらに左右の支柱体５，５’をステー部材５１，５１で結合して大アッセンブリとする。
【００２１】
こうしたアッセンブリに、アンカー３に連結しておいたワイヤロープ７の端部を連結し、法面１ｂに配置する。こうすれば、支柱体５，５’の下端のプレート５ｂ、５ｂが大きな面積を有しているので、梁材４の上面が小段部１ａのレベルとほぼ一致するように安定して法面１ｂに支持されるとともに、ワイヤロープ７で吊持されることによりずり落ちたりせずに設置される。
【００２２】
左右の梁材４、４間に雪留め材６の各部材６ａを渡して端部を固定する。この作業は、水平状の小段部１ａとほぼ同じレベルの梁材４、４に対して行なうので非常に容易であり、また、大アッセンブリの場合には、予め雪留め材を梁材４，４に固定しておくこともできるので、さらに容易である。
【００２３】
設置状態においては、雪崩防止柵２が小段部１ａを延長した形態となるので景観を損なわない。降雪の始まりでは、雪は部材６ａ、６ａ間の隙間Ｓを通過して下段の法面１ｂに積り、降雪量が多くなると部材６ａ、６ａ間にブリッジとなって堆積する。したがって、実質的に小段部幅が増大し、しかも、雪崩防止柵２の全体が上下の法面の雪を結びつけ一体化させる「節」となるので、崩落雪を確実に防止できる。
【００２４】
雪留め材６の部材６ａとしてロープ類を使用した場合、設置時の現場への搬入作業が容易になり、すぐれた強度により積雪を受け止めることができる。融雪が始まると円滑に堆雪を落下させることができ、また細いため目立たず、景観を損なわないなどの利点がある。
【図面の簡単な説明】
【００２５】
【図１】本発明により得られた雪崩防止柵の一例を設置状態で示す側面図である。
【図２】(ａ)、(ｂ)は設置例の平面図である。
【図３】(ａ)は図１の一部拡大図である。
【図４】図２の一部拡大図である。
【図５】図４の正面図である。
【図６】雪留め材の部材の一例を示す部分切欠平面図である。
【図７】（ａ）、（ｂ）は、部材と梁材の取り合い例を示す断面である。
【図８】雪崩防止柵の別例を示す平面図である。
【図９】図８の部分的拡大図である。
【図１０】図９の部材の取り付け状態を示す側面図である。
【図１１】(ａ)は雪留め材の他の例を示す側面図、(ｂ)はその部分的平面図である。
【符号の説明】
【００２６】
１ａ  小段部
１ｂ  斜面
２  雪崩防止柵
３  アンカー
４  梁材  
５  支柱体
６  雪留め材
６ａ  部材  
【図１】
2006083702.tif 000003
【図２】
2006083702.tif 000004
【図３】
2006083702.tif 000005
【図４】
2006083702.tif 000006
【図５】
2006083702.tif 000007
【図６】
2006083702.tif 000008
【図７】
2006083702.tif 000009
【図８】
2006083702.tif 000010
【図９】
2006083702.tif 000011
【図１０】
2006083702.tif 000012
【図１１】
2006083702.tif 000013